(57)【要約】      （修正有）【課題】新型コロナウイルスに対応した木の銅テープ巻きマスクインナーフィルターを提供する。【解決手段】ヒノキチオール含有の０．５ミリ厚のヒバ材や経木材赤松で作られた、名刺サイズの薄板２の２枚をつき合わせ、銅テープ１で接合された折り畳み構造を有する。【選択図】図１
0003230580.tif 000002
【実用新案登録請求の範囲】
【請求項１】
ヒノキチオール含有の０．５ミリ厚位の薄板  ヒノキ  ヒバ材  等を近名刺サイズに型抜きする  これを２枚突き合わせて折り畳みできる様に銅箔テープで巻いて接合をした木の銅箔巻きマスクインナーフイルター、
【請求項２】
赤松材等除菌  香り  通気に優れた  食品包装用の安全な木材を薄く０．１７ｍｍ〜程度に削り取った薄い板を用い  柾目を９０度交差させ２枚合わせにする１２０ミリｘ１２０の正方型に  貼り合わせた  この時に銅箔テープ  や  両面接着テープ  や  米糊で接着をした  請求項１の木の銅箔巻きマスクインナー＾フイルター、
【請求項３】
導子ワニクチ  クリツプの噛み合わせ箇所には両面に銅箔テープ巻きした  この導電機能がある  銅箔テープに接地線や  タカダイオン電子治療器の導子を接続して  寝ている間でも口元に接地放電アーシングや電子を与えて  ウイルスを不活性にしたり細胞の免疫力を向上させられる  請求項１の木の銅箔巻きマスクインナー  フイルター、、
【考案の詳細な説明】
【技術分野】
【０００１】衛生マスクの内側に装着するフイルターに関する身の周り品
新型コロナウイルスの感染拡大の傾向に  家庭内の感染が増大している  家の中でも会話感染に対応する細かい工夫が求められる  症状が出始めてから病院に行き  陽性が判明するまで数日かかる  その間に自宅内で家族を感染させてしまう  その対策にマスクの機能向上が有効となる  銅箔巻きフイルタを装着して口  鼻  から侵入するウイルスが銅箔に接触すると不活性化になる可能性がある【０００２】マスクの装着が困難な赤チャン  幼児  要介護  等には空間除ウイルス技法がある  工房主はマスクのいらない家庭を目指している  その技法に  タカダイオン電子治療器と銅箔巻き木のフイルターの組み合わせがある  この放電で空間の  エアゾールウイルスの不活性化が期待できる  陽性の方に無症状な人もいる  知らない間に吐息によりウイルスを家庭内でマイクロ飛抹の飛散拡散をさせている事例もある  家庭内感染の対策の一つとしての  タカダイオン電子治療器の使用例で  家庭内で寝ている間での吐息に含まれるウイルスの拡散を少なく出来る可能性がある  目的として  フイルターの導電機能を活用した放電でウイルスの空間での棲みかを作らない【０００３】マスクの汗荒れ予防に重要なのは  顔の皮膚バリヤー機能を保持する為の保湿が必要です  汗が出たら  湿ったサラシ手拭で押さえて吸汗し  手作りの口元専用の化粧水を塗布して保湿する  日常的にマスクをすることで  内部が蒸れてしまい  皮膚の角質層がふやけた状態になる  マスクを外すと一転角質層の水分が蒸発して皮膚が乾燥しバリヤーが低下してしまう  マスクの内部は蒸れて湿氣が多いので保湿されていると  思いがちだが  蒸れと肌の潤いは違います  口元周りの  換気と密着の両立に於いて木のフイルターで有効なスキ間を生む使用法を捜す  新型コロナウイルスとの長い戦いに備えてムリ  ムダ  ムラの無い用品の考案が急がれます【０００４】  マスクの装着による  酸素不足  脳の温度上昇  不織布の摩擦静電気  化粧蒸れ  かぶれ  痒み  不織布マスクに塗布されている殺菌剤  等々のマスク事故報告もある  装着しているのに感染した等  使用していたマスクが花粉症用だった例もあります【０００５】木のマスクインナー  フイルターはガーゼ  や  和紙に包み直接肌に当てない気配りがいる  木のフイルター材が製材して新しい時  木の成分で唇周辺に痒み  むくみ  腫れの症状が現れる人もいる  水で洗い流すと３０分位で解消します  新型コロナウイルス対策は全てが初めての事ばかり  口元美容法  も顔の手入れ技法もマスクの介在で新しい技が求められる  マスクインナーフイルターの素材は古来伝承の  おにぎり  を包む経木とおなじ赤松の原木を採用しています  生産工場も代々引き継がれた老舗の手作り品です  安全第一は小さなお子様の使用基準にした  純国産品にこだわり  ２０２１東京オリンピック  パラリンピックにも応用できる  おもてなし用品として考案している  使いながら技法を磨き  失敗の中から見つかります
【背景技術】
【０００６】新型コロナウイルス菌は１００〜３００ナノメートルでとても小さく市販品花粉症用の不織布マスク程度で飛抹感染の予防する事は不可能である  体内への侵入を予防するには  空気も通さない素材が必要となり  目安としては医療関係で使用されているフエイス  シールド程度の水を通さない機能がいる  家庭内の会話でのマイロエアゾール感染  の予防に於いて日常的に使用している不織布マスク  や  手作り布マスク等では新型コロナウイルスは通り抜ける  ウイルスはわずかな隙を突いて近づきます  その対策に選択肢の一つの技法として当品は期待出来る
【先行技術文献】
【特許文献１】特開２００６−１８１２５６  天然ヒノキの薄皮の活用
【特許文献２】特開２０１１−５０８９  銅板入りマスク
【特許文献３】特開２０１１−６２４４２  ヒノキチオール利用のマスク
【特許文献４】特開２０１１−１０４５５３  導電性布入りマスク
【考案が解決しようとする課題】
【０００７】  家庭内での感染予防対策  及び  聴覚障害者が希望する口元が見えるマスク作りにある  顔を寄せてマスク会話をする際に  マスクインナー  フイルターの位置を顎の下にすると有効です  マスクなしが当たり前の本来の目指す楽しくお喋りできる３密に戻れる事にある  今はウイルスに３密の豊かな時間を盗まれてしまった  早急に取り戻す戦に於いて  自分流の活用法を捜すのが先決となります
【０００８】終息の見えない中で２０２１年はコロナとの共生となるオリンピックが開催される  市中感染の不安の中でボランテア数万人  来日外国人数十万人  千葉市の人口約１００万人  人口の６０％以上の抗体保持者が育つ頃に収束が実現出来る  集団免疫説もあるけれども  その実現には不確実な未知なものがある  何を  どうする  自分の身は自分で護る技法を捜している人に  情報を伝える場の開設をする必要がある
【０００９】
【課題を解決するための手段】
【００１０】工房主の育成講座開設  と  交流会の企画
新型コロナウイルスに有効なマスクインナーフイルターの条件  と  マスクフイルターの問題点と対策と活用法に関する  体験の交流会で同士の育成をする  工場から供給される原材料から商品化をする
【図面の簡単な説明】
【００１１】
【図１】銅箔巻き  木のマスクインナー  フイルター使用絵図  図１のａ：平面図  ｂ：正面図  ｃ：取り合い図
【符号の説明】１  銅箔  ０．０８ミリｘ５０ミリｘ５ｍ  市販品
２  ヒノキチオール含有のヒノキ  ヒバ材で作る薄板０．５ミリの厚さ
３  食品の包みに使われている赤松材の薄板  ０．１８ミリ位の厚さ
４  両面接着テープ  ０．１８ミリの薄い板に使用します
５  米糊  もち米でお粥を作りミキサーで糊状に加工します
６  導子接続のワニクチ  クリツプ用の両面に銅箔テープ巻きした箇所
７  近名刺サイズ８８ｍｍｘ５４ｍｍ＋８８ｍｍｘ５４ｍｍ突き合わせした薄板
８  １２０ｘ１２０ｍｍの正方型に貼り合わせした赤松材の薄板  カット用
９  ８８ｘ１２０ｍｍに貼り合わせたヒノキ材の薄板  市販不織布用
１０  ８８ｍｍｘ８８ｍｍに貼り合わせした政府支給品マスク用
１１  透明なフイルム  マスク用
１２  タカダ  イオン電子治療器の絵図
【考案を実施するための形態】
【００１２】
【実施例】
【００１３】マスクフイルター  や  口元が見えるマスクの販売で  工房主の収入自立を促進する  ２０２１東京オリンピック  パラリンピックの開催を盛り上げられる  準名刺サイズのフイルター作製  及び  販売をする事から始めても  独立の成功確率は１０００の１  つまり  １０００人独立しても１年以内に９９９人が廃業します  この自立不可能に近い起業を成功させる手段として  この１年間で販売に慣れる必要があります  ２週間のオリンピック終了後には  工房主がそのまま独立して  コロナ家計の立て直しに自立を続ける  工房主は７０歳上の定年したリタイヤー組みでも  生活に余裕と投資出来る貯金があれば  工房主として  現役復帰の夢が叶えられる  １年の見習い期間を経ても現実は  成功する人１０の１  １０人独立して９人が廃業の割合いになります  自分家計の立て直しに自作マスクインナー  フイルターが有望になる
工房主のフランチャイズ化は町内規模の１０００世帯に一工房主を目標とした  コロナで学んだ事が独立した時の自信となり  生活の収入源となれる  この自立が  これからの高齢医療費の家計上昇を抑えるだろう  医者  薬いらずの働ける身体が手にはいる【００１４】  一万工房主が全国に自立すると  一つの工房主が１０００世帯の御世話をしたら全国で１０００万世帯に対して医療費の削減の技法を伝える事が可能となる  コロナ禍が転じて国家の再建に高齢族が活躍出来る  納税工房主が一万人新規に誕生する試算です  この一万人は健康保険料は納めるが  健康保険書は使わない元気組みになります  働ける高齢者の増加が国の借金を減らす最善にして確実な手段になる  病院に行くよりチラシのポスチングや配達に歩き廻る  晴れた日の行動が替わることで  自然と病院の通いが少なくなる【００１５】電子治療器のウイルス対応の技法について  イラスト絵図
寝ている間に体質を改善する電子治療器  美容と健康を保ち  老化と病気を予防する  マイナス  イオンが体に増えると病気が逃げる  臨床で効果を実証した高田  蒔博士の負電位療法は  家庭で自分で操作出来る装置である  導電マスクに通電して空間に電圧を発生させることで  空間の口元周りに浮遊している  新型コロナウイルスの増殖を抑える可能性がある  先行特許文献に公開されていました【００１６】口元が見える透明なレースマスクの活用法  イラスト絵図
いつもの語らいの家庭に近づけられる  おしゃれなレースで口元を飾り  その笑顔が廻りの方に忘れた微笑みを誘います  笑いの中に新型を消す免疫力が沢山あるから【００１７】    湿度５０％〜６０％でインフルエンザウイルスの６時間後の生存率が２０％程度に減ります  ウイルスは薬より予防に尽きる  窓を開けて換気をする  ウイルスの居場所をなくす方法として  手を洗う  洗濯物は太陽で干す  紫外線に当てる  咳やクシャミで体外に拡散したウイルスは衣類にも付着している  歩行で太陽に当ると不活性になります  トイレ床から靴の底に付着して家庭内に運ばれる  トイレでは用たし前に手洗いが有効な訳は粘膜感染だから  触る処が粘膜です  出す処から入るのは皆同じなのに  トイレ前に手洗いを実行する人見かけないです  コロナさん大助かりして楽々に侵入できる  感染経路不明ではなく  氣が付かないだけの可能性もあります
【図１】
0003230580.tif 000003
【手続補正書】
【提出日】令和2年11月9日(2020.11.9)
【手続補正１】
【補正対象書類名】実用新案登録請求の範囲
【補正対象項目名】全文
【補正方法】変更
【補正の内容】
【実用新案登録請求の範囲】
【請求項１】
ヒノキチオール含有の０．５ミリ厚のヒバ材や経木材赤松で作られた、名刺サイズの板２枚が銅テープで接合されている折り畳み構造を特長とする、木の銅テープ巻きマスクインナーフイルター。
【請求項２】
片面に銀の繊維を貼り付けた構造の、請求項１の木の銅テープ巻きマスクインナーフイルタ−。
【請求項３】
両面に銅板を貼り付けた構造の、請求項１の木の銅テープ巻きマスクインナーフイルター。